(57)【特許請求の範囲】
【請求項１】
紙受け台に積み重ねられる紙の１リーム単位ごとに２枚重ねのマーカーテープを挿入し、(１)積み重ねを終わった紙受け台の最上部の２枚重ねのマーカーテープを開き、(２)開いた２枚のマーカーテープの間に仕切り板を挿入して最上部の１リーム分の紙の端部を持ち上げ、(３)端部を持ち上げた１リーム分の紙と下部の残りの紙の間に押さえ板を挿入して下部の残りの紙を押さえて固定し、(４)最上部の１リーム分の紙をプッシャーで押す、又は、クランプで挟持し移動する(１)〜(４)のサイクルを繰り返し、紙受け台に積み重ねられた紙のリーム分割を行うことを特徴とする紙のリーム分割方法。
【請求項２】
紙受け台に積み重ねられる紙の１リーム単位ごとに２枚重ねのマーカーテープを挿入するテープインサーター、挿入された２枚重ねのマーカーテープを開くテープオープナー、開かれた２枚のテープ内に挿入され最上部の１リーム分の紙の端部を持ち上げる仕切り板、端部を持ち上げた１リーム分の紙と下部の残りの紙の間に挿入され下部の残りの紙を押さえて固定する押さえ板、及び最上部の１リーム分の紙を押すことにより移動するプッシャー、又は、１リーム分の紙をクランプで挟持し移動する機構を備えることを特徴とする紙のリーム分割装置。
【請求項３】
紙受け台に積み重ねられる紙の１リーム単位ごとに、紙のコーナー部にマーカーテープの両端が露出するようマーカーテープを斜めに挿入し、(１)積み重ねを終わった紙受け台の最上部のマーカーテープの露出する両端を保持して持ち上げることにより最上部の１リーム分の紙と下部の残りの紙の間に間隙を開き、(２)開いた間隙に仕切り板を挿入して最上部の１リーム分の紙の端部を持ち上げ、(３)端部を持ち上げた１リーム分の紙と下部の残りの紙の間に押さえ板を挿入して下部の残りの紙を押さえて固定し、(４)最上部の１リーム分の紙をプッシャーで押す、又は、クランプで挟持し移動する(１)〜(４)のサイクルを繰り返し、紙受け台に積み重ねられた紙のリーム分割を行うことを特徴とする紙のリーム分割方法。
【請求項４】
紙受け台に積み重ねられる紙の１リーム単位ごとに、紙のコーナー部にマーカーテープの両端が露出するようマーカーテープを斜めに挿入するテープインサーター、挿入されたマーカーテープの露出する両端を保持して持ち上げることにより最上部の１リーム分の紙と下部の残りの紙の間に間隙を開くオープナー、開いた間隙に挿入され最上部の１リーム分の紙の端部を持ち上げる仕切り板、端部を持ち上げた１リーム分の紙と下部の残りの紙の間に挿入され下部の残りの紙を押さえて固定する押さえ板、及び最上部の１リーム分の紙を押すことにより移動するプッシャー、又は、１リーム分の紙をクランプで挟持し移動する機構を備えることを特徴とする紙のリーム分割装置。
【発明の詳細な説明】
【０００１】
【発明の属する技術分野】
本発明は、紙のリーム分割方法及びリーム分割装置に関する。さらに詳しくは、本発明は、紙受け台に積み重ねられた紙を自動的に一定枚数ごとのリームに分割して、包装などの次工程に移送するための、紙のリーム分割方法及びリーム分割装置に関する。
【０００２】
【従来の技術】
製紙工場で断裁された紙や、印刷工場で印刷された紙は、紙受け台に自動的に積み重ねられる。積み重ねられた紙は、一定枚数ごとのリームに分割され、包装、結束、帯封かけなどの次工程に送られる。積み重ねられた紙を一定枚数ごとのリームに分割するために、紙の枚数が自動的にカウントされ、あらかじめ定められた枚数ごとにテープインサーターからマーカーテープが供給され、積み重ねられた紙の間に挟み込まれる。
従来、マーカーテープを挟み込んだ積み重ねられた紙を、マーカーテープの位置で一定枚数ごとのリームに分割し、次工程に移送する作業は自動化が困難であり、作業者がマーカーテープを目印に１リームずつ手で移動し、次工程に移送するという手作業に頼らざるを得なかった。しかし、製紙工程や印刷工程の高速化に伴い、紙のリーム分割作業はすます重労働となり、また、包装などの次工程以降は自動化されリーム分割のみが手作業として残っているため、その自動化が強く望まれている。
【０００３】
【発明が解決しようとする課題】
本発明は、紙受け台に積み重ねられた紙を手作業によることなく自動的に一定枚数ごとのリームに分割し、次工程に移送するための、紙のリーム分割方法及びリーム分割装置を提供することを目的としてなされたものである。
【０００４】
【課題を解決するための手段】
本発明者らは、上記の課題を解決すべく鋭意研究を重ねた結果、積み重ねられる紙にテープインサーターより２枚重ねのマーカーテープを供給し、あるいは紙のコーナー部に両端が露出するようにマーカーテープを斜めに挿入し、マーカーテープの位置に仕切り板の挿入を可能にすることにより、マーカーテープより下部の紙の位置ずれを起こすことなく、マーカーテープより上部の１リーム分の紙をプッシャーにより移動することができることを見いだし、この知見に基づいて本発明を完成するに至った。
すなわち、本発明は、
（１）紙受け台に積み重ねられる紙の１リーム単位ごとに２枚重ねのマーカーテープを挿入し、(１)積み重ねを終わった紙受け台の最上部の２枚重ねのマーカーテープを開き、(２)開いた２枚のマーカーテープの間に仕切り板を挿入して最上部の１リーム分の紙の端部を持ち上げ、(３)端部を持ち上げた１リーム分の紙と下部の残りの紙の間に押さえ板を挿入して下部の残りの紙を押さえて固定し、(４)最上部の１リーム分の紙をプッシャーで押す、又は、クランプで挟持し移動する(１)〜(４)のサイクルを繰り返し、紙受け台に積み重ねられた紙のリーム分割を行うことを特徴とする紙のリーム分割方法、
（２）紙受け台に積み重ねられる紙の１リーム単位ごとに２枚重ねのマーカーテープを挿入するテープインサーター、挿入された２枚重ねのマーカーテープを開くテープオープナー、開かれた２枚のテープ内に挿入され最上部の１リーム分の紙の端部を持ち上げる仕切り板、端部を持ち上げた１リーム分の紙と下部の残りの紙の間に挿入され下部の残りの紙を押さえて固定する押さえ板、及び最上部の１リーム分の紙を押すことにより移動するプッシャー、又は、１リーム分の紙をクランプで挟持し移動する機構を備えることを特徴とする紙のリーム分割装置、
（３）紙受け台に積み重ねられる紙の１リーム単位ごとに、紙のコーナー部にマーカーテープの両端が露出するようマーカーテープを斜めに挿入し、(１)積み重ねを終わった紙受け台の最上部のマーカーテープの露出する両端を保持して持ち上げることにより最上部の１リーム分の紙と下部の残りの紙の間に間隙を開き、(２)開いた間隙に仕切り板を挿入して最上部の１リーム分の紙の端部を持ち上げ、(３)端部を持ち上げた１リーム分の紙と下部の残りの紙の間に押さえ板を挿入して下部の残りの紙を押さえて固定し、(４)最上部の１リーム分の紙をプッシャーで押す、又は、クランプで挟持し移動する(１)〜(４)のサイクルを繰り返し、紙受け台に積み重ねられた紙のリーム分割を行うことを特徴とする紙のリーム分割方法、及び、
（４）紙受け台に積み重ねられる紙の１リーム単位ごとに、紙のコーナー部にマーカーテープの両端が露出するようマーカーテープを斜めに挿入するテープインサーター、挿入されたマーカーテープの露出する両端を保持して持ち上げることにより最上部の１リーム分の紙と下部の残りの紙の間に間隙を開くオープナー、開いた間隙に挿入され最上部の１リーム分の紙の端部を持ち上げる仕切り板、端部を持ち上げた１リーム分の紙と下部の残りの紙の間に挿入され下部の残りの紙を押さえて固定する押さえ板、及び最上部の１リーム分の紙を押すことにより移動するプッシャー、又は、１リーム分の紙をクランプで挟持し移動する機構を備えることを特徴とする紙のリーム分割装置、
を提供するものである。
【０００５】
【発明の実施の形態】
本発明方法及び装置は、製紙工場や印刷工場などにおいて断裁や印刷を終え、紙受け台に積み重ねられた紙のリーム分割に適用することができる。断裁工程においては、通常同時に断裁された複数枚の紙が紙受け台に供給され、印刷工程においては、通常印刷された紙が１枚ずつ紙受け台に供給される。紙受け台に供給される紙の枚数は自動的にカウントされ、あらかじめ定められた枚数を１リームとして、テープインサーターよりマーカーテープが挟み込まれる。１リームの枚数は、紙質、紙の大きさ、紙の用途などにより適宜選ばれるが、通常は１００枚〜５００枚とされることが多い。
本発明においては、紙受け台に積み重ねられる紙の１リーム単位ごとに、マーカーテープを通常の１枚ではなく、２枚重ねのマーカーテープとして挿入する。マーカーテープを２枚重ねて供給する方法には特に制限はなく、例えば、図１に示すように２個のテープロール１より引き出した２枚のテープ２をテープインサーター３を通して供給することができ、あるいは、２枚のテープを巻き付けた１本のテープロールを使用することができる。
図２は、紙受け台に積み重ねられた紙の状態を示す斜視図である。前工程より送られてくる紙４は、３枚のストッパー５によって正確に位置決めがなされ、紙受け台６の上に揃えて積み重ねられる。紙受け台へ送られる紙の枚数は、カウンター（図示されていない。）によりカウントされ、あらかじめ定めた１リーム分に達するとテープインサーター３より２枚重ねのマーカーテープ７が供給され、紙の間に挟み込まれた状態で切断される。紙受け台に所定の量の紙の積み重ねが終わったとき、紙受け台の上で、紙の１リーム分ごとに等間隔で２枚重ねのマーカーテープが挿入された状態となっている。
【０００６】
所定の量の紙の積み重ねを終わった紙受け台は、次工程へ送られ、１リーム分ごとの紙の分割が行われる。リームの分割にあたっては、先ず、積み重ねを終わった紙受け台の最上部の２枚重ねのマーカーテープが開かれる。２枚のマーカーテープを開く方法には特に制限はなく、例えば、機械的な挟持により引き離す方法、粘着テープを２枚のマーカーテープのそれぞれに粘着して引き離す方法、吸盤を用いて減圧により引き離す方法などを用いることができる。これらの中で吸盤を用いる方法は、常圧に戻し、あるいはわずかに加圧にすることにより、使用済みのマーカーテープを解放することができるので、好適に使用することができる。図３は、吸盤によりマーカーテープを開く状態を示す部分側面図である。本図においては、積み重ねられた紙４に挿入された２枚重ねのマーカーテープ７のうちの最上部のマーカーテープを２個の吸盤８を用いて上下に開いている。
図４(ａ)は、本発明の一態様を示す平面図であり、図４(ｂ)は側面図である。本図において、紙を積み重ね終わった紙受け台の最上部の２枚のマーカーテープ７が吸盤８によって開かれている。開いた２枚のマーカーテープの間に仕切り板９が挿入され、上昇シリンダー１０によって押し上げられることにより、最上部の１リーム分の紙１１の端部が持ち上げられ、下部の残りの紙の間にわずかな間隙を生ずる。次いで最上部の１リーム分の紙と、下部の残りの紙の間に押さえ板１２を挿入して下部の残りの紙を押さえて固定する。この間、最上部の１リーム分の紙の端部は、ストッパー１３により支えられているので、位置ずれを生ずるおそれがない。押さえ板により、下部の残りの紙を押さえて固定したのち、ストッパーを外して最上部の１リーム分の紙をプッシャー１４で押すことにより次工程へ移動する。最上部の１リーム分の紙の移動は、プッシャーによるほか、端部をクランプで把持して移動するなど、任意の方法により行うことができる。
最上部の１リーム分の紙を次工程に移動したのち、ふたたび２枚のマーカーテープを開くことから同じ操作を繰り返し、紙受け台上の紙を、すべて１リーム分ずつ分割して移動する。２枚重ねのマーカーテープと仕切り板の位置合わせ、すなわち、最上部の１リーム分の紙と押さえ板、ストッパー、プッシャーとの位置合わせは、昇降装置を用いて紙受け台を段階的に上昇することにより、あるいは、昇降装置を用いて仕切り板、押さえ板、ストッパー、プッシャーを段階的に下降することによって行うことができる。
【０００７】
本発明の他の態様においては、紙受け台に積み重ねられる紙の１リーム単位ごとに、紙のコーナー部にマーカーテープの両端が露出するようにマーカーテープを斜めに挿入する。マーカーテープを斜めに供給する方法には特に制限はなく、例えば、テープインサーターを積み重ねられる紙に対して斜めの位置に設置することにより、容易に行うことができる。図５は、紙受け台に積み重ねられた紙の状態を示す斜視図である。前工程より送られてくる紙４は、ストッパー（図示されていない。）によって正確に位置決めがなされ、紙受け台６の上に揃えて積み重ねられる。紙受け台へ送られる紙の枚数は、カウンター（図示されていない。）によりカウントされ、あらかじめ定められた１リーム分に達するとテープインサーター３よりマーカーテープ７が供給され、紙のコーナー部に両端が露出した状態に挟み込まれ切断される。紙受け台に所定の量の紙の積み重ねが終わったとき、紙受け台の上で、紙の１リーム分ごとに等間隔でマーカーテープが挿入された状態となっている。
所定の量の紙の積み重ねを終わった紙受け台は、次工程へ送られ、１リーム分ごとの紙の分割が行われる。リームの分割にあたっては、先ず、積み重ねを終わった紙受け台の最上部のマーカーテープが持ち上げられる。マーカーテープを持ち上げる方法には特に制限はなく、例えば、マーカーテープの露出した両端をクランプなどにより機械的に挟持して持ち上げる方法、マーカーテープの露出した両端に粘着テープをつけて持ち上げる方法、マーカーテープの露出した両端を吸盤を用いて減圧により引き付けて持ち上げる方法などを用いることができる。これらの中でクランプを用いる方法は、紙のリーム分割を終わったのち、一方のクランプでマーカーテープを挟持し、使用済みのマーカーテープを廃棄することができるので、好適に使用することができる。図６は、クランプによりマーカーテープの露出した両端を挟持して持ち上げる状態を示す部分斜視図である。本図においては、積み重ねられた紙４に両端を露出して斜めに挿入されたマーカーテープ７のうちの最上部のマーカーテープを２個のクランプ１５を用いて持ち上げている。
【０００８】
紙を積み重ね終わった紙受け台の、最上部のマーカーテープの両端を挟持して持ち上げることにより生じた間隙に、仕切り板が挿入される。仕切り板を上昇シリンダーによって押し上げることにより、最上部の１リーム分の紙の端部が持ち上げられ、下部の残りの紙の間に間隙を生ずる。次いで最上部の１リーム分の紙と、下部の残りの紙の間に押さえ板を挿入して下部の残りの紙を押さえて固定する。この間、最上部の１リーム分の紙の端部をストッパーにより支えるなどの手段により、最上部の１リーム分の紙に位置ずれを生ずることを防止することができる。押さえ板により、下部の残りの紙を押さえて固定したのち、ストッパーを外して最上部の１リーム分の紙をプッシャーで押すことにより、あるいは端部をクランプなどで挟持することにより次工程へ移動する。
最上部の１リーム分の紙を次工程に移動したのち、ふたたび斜めに挿入され両端が露出したマーカーテープの両端を挟持し持ち上げることから同じ操作を繰り返し、紙受け台上の紙を、すべて１リーム分ずつ分割して移動する。両端が露出したマーカーテープとクランプの位置合わせ、すなわち、最上部の１リーム分の紙と押さえ板、ストッパー、プッシャーなどとの位置合わせは、昇降装置を用いて紙受け台を段階的に上昇することにより、あるいは、昇降装置を用いてクランプ、押さえ板、ストッパー、プッシャーを段階的に下降することによって行うことができる。
【０００９】
【発明の効果】
本発明の方法及び装置によれば、紙受け台に積み重ねられた紙をマーカーテープにしたがって１リーム単位ごとに分割し、次工程へ移送する作業を、全く手作業を必要とすることなく、完全に自動化して行うことが可能である。
【図面の簡単な説明】
【図１】図１は、本発明に用いるテープインサーターの一態様の斜視図である。
【図２】図２は、紙受け台に積み重ねられた紙の状態を示す斜視図である。
【図３】図３は、吸盤によりマーカーテープを開く状態を示す部分側面図である。
【図４】図４は、本発明のリーム分割の一態様を示す平面図及び側面図である。
【図５】図５は、紙受け台に積み重ねられた紙の状態を示す斜視図である。
【図６】図６は、クランプによりマーカーテープの露出した両端を挟持して持ち上げる状態を示す部分斜視図である。
【符号の説明】
１  テープロール
２  テープ
３  テープインサーター
４  紙
５  ストッパー
６  紙受け台
７  マーカーテープ
８  吸盤
９  仕切り板
１０  上昇シリンダー
１１  １リーム分の紙
１２  押さえ板
１３  ストッパー
１４  プッシャー
１５  クランプ
【図１】
0003670735.tif 000002
【図２】
0003670735.tif 000003
【図３】
0003670735.tif 000004
【図４】
0003670735.tif 000005
【図５】
0003670735.tif 000006
【図６】
0003670735.tif 000007